(57)【要約】  本開示のいくつかの態様は、アップリンク制御情報(UCI)を搬送するために使用される物理アップリンク制御チャネル(PUCCH)に対するリソース割振りのための方法および装置に関する。いくつかの態様は、ユーザ機器によるワイヤレス通信のための方法を提供する。方法は、一般に、PUCCH送信においてUCIを送信するために利用可能なリソースのサブセットをユーザ機器に示すように構成された1つまたは複数のリソースインジケータ(RI)ビットを含むダウンリンク制御情報(DCI)を受信するステップを含み、DCIは、第1の物理ダウンリンク制御チャネル(PDCCH)送信の1つまたは複数のリソース上で受信される。方法は、PDCCHリソースのPUCCHリソースへの暗黙的マッピング、および第1のPDCCH送信の1つまたは複数のリソースに基づいて、UCIを送信するために、RIビットによって示されるサブセット内のリソースを識別するステップをさらに含む。方法は、識別されたリソースを使用してUCIを送信するステップをさらに含む。
2021505059.tif 000002
【特許請求の範囲】
【請求項１】
ユーザ機器によるワイヤレス通信のための方法であって、
物理アップリンク制御チャネル(PUCCH)送信においてアップリンク制御情報(UCI)を送信するために利用可能なリソースのサブセットを前記ユーザ機器に示すように構成された1つまたは複数のリソースインジケータ(RI)ビットを含むダウンリンク制御情報(DCI)を受信するステップであって、前記DCIが、第1の物理ダウンリンク制御チャネル(PDCCH)送信の1つまたは複数のリソース上で受信される、ステップと、
PDCCHリソースのPUCCHリソースへの暗黙的マッピング、および前記第1のPDCCH送信の前記1つまたは複数のリソースに基づいて、前記UCIを送信するために、前記RIビットによって示される前記サブセット内のリソースを識別するステップと、
前記識別されたリソースを使用して前記UCIを送信するステップとを含む、方法。
【請求項２】
複数のコンポーネントキャリア(CC)上でまたは複数のスロットにわたって複数のPDCCH送信を受信するステップであって、前記UCIが、前記複数のPDCCH送信に確認応答する、ステップをさらに含む、請求項1に記載の方法。
【請求項３】
前記第1のPDCCH送信が、前記複数のPDCCH送信の最後の送信である、請求項2に記載の方法。
【請求項４】
前記第1のPDCCH送信が、前記複数のPDCCH送信の最小のコンポーネントキャリア(CC)インデックスを有する、請求項2に記載の方法。
【請求項５】
前記複数のPDCCH送信に確認応答する前記UCIが、同じアップリンク(UL)スロット内で送信される、請求項2に記載の方法。
【請求項６】
前記複数のサブセットのうちの少なくとも2つが異なるサイズを有する、請求項1に記載の方法。
【請求項７】
前記複数のサブセットの各々が、同じサイズを有する、請求項1に記載の方法。
【請求項８】
前記暗黙的マッピングが、前記第1のPDCCH送信の制御チャネル要素(CCE)インデックスに基づく、請求項1に記載の方法。
【請求項９】
RIビットの数がXであり、PUCCHリソースの総数がYであり、前記PUCCHリソースのサブセットの総数が2^Xであり、前記サブセットの総数のうちの(2^Xを法とするY)個が(floor(Y/2^X)+1)個のPUCCHリソースから成り、前記サブセットの総数の残りが(floor(Y/2^X))個のPUCCHリソースから成る、請求項1に記載の方法。
【請求項１０】
ユーザ機器によるワイヤレス通信のための方法であって、
1つまたは複数のダウンリンク割当てインデックス(DAI)ビットを含むアップリンク許可を基地局から受信するステップと、
前記DAIビットに基づいて確認応答(ACK)を送信するために使用することになるビット数を決定するステップと、
前記決定されたビット数を使用して前記ACKを前記基地局に送信するステップとを含む、方法。
【請求項１１】
前記ACKを送信するステップが、物理アップリンク共有チャネル(PUSCH)上で前記ACKを送信するステップを含む、請求項10に記載の方法。
【請求項１２】
前記決定されたビット数が1または2であるとき、前記ACKが前記PUSCHをパンクチャリングし、前記決定されたビット数が2より大きいとき、前記ACKが前記PUSCHの近辺でレートマッチングされる、請求項11に記載の方法。
【請求項１３】
前記ユーザ機器および前記基地局が、半静的HARQ-ACKコードブックサイズを用いて構成され、DAIビットの数が1であり、1個の前記DAIビットが、前記ACKを送信するか否かを示す、請求項10に記載の方法。
【請求項１４】
ネットワークエンティティによるワイヤレス通信のための方法であって、
物理アップリンク制御チャネル(PUCCH)送信においてアップリンク制御情報(UCI)を送信するために利用可能なリソースのサブセットをユーザ機器に示すように構成された1つまたは複数のリソースインジケータ(RI)ビットを含むダウンリンク制御情報(DCI)を送信するステップであって、前記DCIが、第1の物理ダウンリンク制御チャネル(PDCCH)送信の1つまたは複数のリソース上で送信される、ステップと、
PDCCHリソースのPUCCHリソースへの暗黙的マッピング、および前記第1のPDCCH送信の前記1つまたは複数のリソースに基づいて、前記UCIを監視するために、前記RIビットによって示される前記サブセット内のリソースを識別するステップと、
前記UCIに関して前記識別されたリソースを監視するステップとを含む、方法。
【請求項１５】
複数のコンポーネントキャリア(CC)上でまたは複数のスロットにわたって複数のPDCCH送信を送信するステップであって、前記UCIが、前記複数のPDCCH送信に確認応答する、ステップをさらに含む、請求項14に記載の方法。
【請求項１６】
前記第1のPDCCH送信が、前記複数のPDCCH送信の最後の送信である、請求項15に記載の方法。
【請求項１７】
前記第1のPDCCH送信が、前記複数のPDCCH送信の最小のコンポーネントキャリア(CC)インデックスを有する、請求項15に記載の方法。
【請求項１８】
前記複数のPDCCH送信に確認応答する前記UCIが、同じアップリンク(UL)スロット内で通信される、請求項15に記載の方法。
【請求項１９】
前記複数のサブセットのうちの少なくとも2つが異なるサイズを有する、請求項14に記載の方法。
【請求項２０】
前記複数のサブセットの各々が、同じサイズを有する、請求項14に記載の方法。
【請求項２１】
前記暗黙的マッピングが、前記第1のPDCCH送信の制御チャネル要素(CCE)インデックスに基づく、請求項14に記載の方法。
【請求項２２】
RIビットの数がXであり、PUCCHリソースの総数がYであり、前記PUCCHリソースのサブセットの総数が2^Xであり、前記サブセットの総数のうちの(2^Xを法とするY)個が(floor(Y/2^X)+1)個のPUCCHリソースから成り、前記サブセットの総数の残りが(floor(Y/2^X))個のPUCCHリソースから成る、請求項14に記載の方法。
【請求項２３】
ネットワークエンティティによるワイヤレス通信のための方法であって、
ユーザ機器がダウンリンク割当てインデックス(DAI)ビットに基づいて確認応答(ACK)を送信するために使用することになるビット数を示す1つまたは複数の前記DAIビットを含むアップリンク許可を前記ユーザ機器に送信するステップと、
前記ビット数を使用した前記ACKを前記ユーザ機器から受信するステップとを含む、方法。
【請求項２４】
前記ACKを受信するステップが、物理アップリンク共有チャネル(PUSCH)上で前記ACKを受信するステップを含む、請求項23に記載の方法。
【請求項２５】
前記ビット数が1または2であるとき、前記ACKが前記PUSCHをパンクチャリングし、前記ビット数が2より大きいとき、前記ACKが前記PUSCHの近辺でレートマッチングされる、請求項24に記載の方法。
【請求項２６】
前記ユーザ機器および前記ネットワークエンティティが、半静的HARQ-ACKコードブックサイズを用いて構成され、DAIビットの数が1であり、1個の前記DAIビットが、前記ACKを送信するか否かを示す、請求項23に記載の方法。
【請求項２７】
ユーザ機器であって、
メモリと、
前記メモリに結合されたプロセッサとを備え、前記プロセッサが、
物理アップリンク制御チャネル(PUCCH)送信においてアップリンク制御情報(UCI)を送信するために利用可能なリソースのサブセットを前記ユーザ機器に示すように構成された1つまたは複数のリソースインジケータ(RI)ビットを含むダウンリンク制御情報(DCI)を受信することであって、前記DCIが、第1の物理ダウンリンク制御チャネル(PDCCH)送信の1つまたは複数のリソース上で受信される、ことと、
PDCCHリソースのPUCCHリソースへの暗黙的マッピング、および前記第1のPDCCH送信の前記1つまたは複数のリソースに基づいて、前記UCIを送信するために、前記RIビットによって示される前記サブセット内のリソースを識別することと、
前記識別されたリソースを使用して前記UCIを送信することとを行うように構成される、ユーザ機器。
【請求項２８】
前記プロセッサが、
複数のコンポーネントキャリア(CC)上でまたは複数のスロットにわたって複数のPDCCH送信を受信することであって、前記UCIが、前記複数のPDCCH送信に確認応答する、ことをするようにさらに構成される、請求項27に記載のユーザ機器。
【請求項２９】
前記第1のPDCCH送信が、前記複数のPDCCH送信の最後の送信である、請求項28に記載のユーザ機器。
【請求項３０】
前記第1のPDCCH送信が、前記複数のPDCCH送信の最小のコンポーネントキャリア(CC)インデックスを有する、請求項28に記載のユーザ機器。
【請求項３１】
前記複数のPDCCH送信に確認応答する前記UCIが、同じアップリンク(UL)スロット内で送信される、請求項28に記載のユーザ機器。
【請求項３２】
前記複数のサブセットのうちの少なくとも2つが異なるサイズを有する、請求項27に記載のユーザ機器。
【請求項３３】
前記複数のサブセットの各々が、同じサイズを有する、請求項27に記載のユーザ機器。
【請求項３４】
前記暗黙的マッピングが、前記第1のPDCCH送信の制御チャネル要素(CCE)インデックスに基づく、請求項27に記載のユーザ機器。
【請求項３５】
RIビットの数がXであり、PUCCHリソースの総数がYであり、前記PUCCHリソースのサブセットの総数が2^Xであり、前記サブセットの総数のうちの(2^Xを法とするY)個が(floor(Y/2^X)+1)個のPUCCHリソースから成り、前記サブセットの総数の残りが(floor(Y/2^X))個のPUCCHリソースから成る、請求項27に記載のユーザ機器。
【請求項３６】
メモリと、
前記メモリに結合されたプロセッサとを備え、前記プロセッサが、
1つまたは複数のダウンリンク割当てインデックス(DAI)ビットを含むアップリンク許可を基地局から受信することと、
前記DAIビットに基づいて確認応答(ACK)を送信するために使用することになるビット数を決定することと、
前記決定されたビット数を使用して前記ACKを前記基地局に送信することとを行うように構成される、ユーザ機器。
【請求項３７】
前記ACKを送信することが、物理アップリンク共有チャネル(PUSCH)上で前記ACKを送信することを含む、請求項36に記載のユーザ機器。
【請求項３８】
前記決定されたビット数が1または2であるとき、前記ACKが前記PUSCHをパンクチャリングし、前記決定されたビット数が2より大きいとき、前記ACKが前記PUSCHの近辺でレートマッチングされる、請求項37に記載のユーザ機器。
【請求項３９】
前記ユーザ機器および前記基地局が、半静的HARQ-ACKコードブックサイズを用いて構成され、DAIビットの数が1であり、1個の前記DAIビットが、前記ACKを送信するか否かを示す、請求項36に記載のユーザ機器。
【請求項４０】
メモリと、
前記メモリに結合されたプロセッサとを備え、前記プロセッサが、
物理アップリンク制御チャネル(PUCCH)送信においてアップリンク制御情報(UCI)を送信するために利用可能なリソースのサブセットをユーザ機器に示すように構成された1つまたは複数のリソースインジケータ(RI)ビットを含むダウンリンク制御情報(DCI)を送信することであって、前記DCIが、第1の物理ダウンリンク制御チャネル(PDCCH)送信の1つまたは複数のリソース上で送信される、ことと、
PDCCHリソースのPUCCHリソースへの暗黙的マッピング、および前記第1のPDCCH送信の前記1つまたは複数のリソースに基づいて、前記UCIを監視するために、前記RIビットによって示される前記サブセット内のリソースを識別することと、
前記UCIに関して前記識別されたリソースを監視することとを行うように構成される、ネットワークエンティティ。
【請求項４１】
前記プロセッサが、
複数のコンポーネントキャリア(CC)上でまたは複数のスロットにわたって複数のPDCCH送信を送信することであって、前記UCIが、前記複数のPDCCH送信に確認応答する、ことをするようにさらに構成される、請求項40に記載のネットワークエンティティ。
【請求項４２】
前記第1のPDCCH送信が、前記複数のPDCCH送信の最後の送信である、請求項41に記載のネットワークエンティティ。
【請求項４３】
前記第1のPDCCH送信が、前記複数のPDCCH送信の最小のコンポーネントキャリア(CC)インデックスを有する、請求項41に記載のネットワークエンティティ。
【請求項４４】
前記複数のPDCCH送信に確認応答する前記UCIが、同じアップリンク(UL)スロット内で通信される、請求項41に記載のネットワークエンティティ。
【請求項４５】
前記複数のサブセットのうちの少なくとも2つが異なるサイズを有する、請求項40に記載のネットワークエンティティ。
【請求項４６】
前記複数のサブセットの各々が、同じサイズを有する、請求項40に記載のネットワークエンティティ。
【請求項４７】
前記暗黙的マッピングが、前記第1のPDCCH送信の制御チャネル要素(CCE)インデックスに基づく、請求項40に記載のネットワークエンティティ。
【請求項４８】
RIビットの数がXであり、PUCCHリソースの総数がYであり、前記PUCCHリソースのサブセットの総数が2^Xであり、前記サブセットの総数のうちの(2^Xを法とするY)個が(floor(Y/2^X)+1)個のPUCCHリソースから成り、前記サブセットの総数の残りが(floor(Y/2^X))個のPUCCHリソースから成る、請求項40に記載のネットワークエンティティ。
【請求項４９】
メモリと、
前記メモリに結合されたプロセッサとを備え、前記プロセッサが、
ユーザ機器がダウンリンク割当てインデックス(DAI)ビットに基づいて確認応答(ACK)を送信するために使用することになるビット数を示す1つまたは複数の前記DAIビットを含むアップリンク許可を前記ユーザ機器に送信することと、
前記ビット数を使用した前記ACKを前記ユーザ機器から受信することとを行うように構成される、ネットワークエンティティ。
【請求項５０】
前記ACKを受信することが、物理アップリンク共有チャネル(PUSCH)上で前記ACKを受信することを含む、請求項49に記載のネットワークエンティティ。
【請求項５１】
前記ビット数が1または2であるとき、前記ACKが前記PUSCHをパンクチャリングし、前記ビット数が2より大きいとき、前記ACKが前記PUSCHの近辺でレートマッチングされる、請求項50に記載のネットワークエンティティ。
【請求項５２】
前記ユーザ機器および前記ネットワークエンティティが、半静的HARQ-ACKコードブックサイズを用いて構成され、DAIビットの数が1であり、1個の前記DAIビットが、前記ACKを送信するか否かを示す、請求項49に記載のネットワークエンティティ。
【発明の詳細な説明】
【技術分野】
【０００１】
関連出願の相互参照
本出願は、ともに本出願の譲受人に譲渡され、参照により本明細書に明確に組み込まれている、2017年12月1日に出願された米国仮特許第62/593,866号の利益を主張する、2018年11月1日に出願された米国出願第16/177,858号の優先権を主張する。
【０００２】
本開示は、一般に、通信システムに関し、物理アップリンク制御チャネル(PUCCH)送信のためのリソース割振りのための方法および装置に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用し得る。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEまたはLTE-Aネットワークでは、1つまたは複数の基地局のセットがeノードB(eNB)を定義してよい。他の例では(たとえば、次世代または5Gネットワークでは)、ワイヤレス多元接続通信システムは、いくつかの集約ユニット(CU)(たとえば、中央ノード(CN)、アクセスノードコントローラ(ANC)など)と通信するいくつかの分散ユニット(DU)(たとえば、エッジユニット(EU)、エッジノード(EN)、無線ヘッド(RH)、スマート無線ヘッド(SRH)、送信受信ポイント(TRP)など)を含んでよく、集約ユニットと通信する1つまたは複数の分散ユニットのセットがアクセスノード(たとえば、ニューラジオ基地局(NR BS:new radio base station)、ニューラジオノードB(NR NB:new radio node-B)、ネットワークノード、5G NB、eNBなど)を定義してよい。基地局またはDUは、(たとえば、基地局から、またはUEへの送信のための)ダウンリンクチャネルおよび(たとえば、UEから基地局または分散ユニットへの送信のための)アップリンクチャネル上でUEのセットと通信してよい。
【０００５】
これらの多元接続技術は、異なるワイヤレスデバイスが都市、国家、地域、さらには地球規模で通信することを可能にする共通プロトコルを提供するために、様々な電気通信規格において採用されている。新生の電気通信規格の一例は、ニューラジオ(NR)、たとえば、5G無線アクセスである。NRは、第3世代パートナーシッププロジェクト(3GPP)によって公表されたLTEモバイル規格に対する拡張のセットである。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【発明の概要】
【課題を解決するための手段】
【０００６】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に説明する。この説明を考慮した後、また特に「発明を実施するための形態」と題するセクションを読んだ後、本開示の特徴が、ワイヤレスネットワークにおけるアクセスポイントと局との間の改善された通信を含む利点をどのようにもたらすかが理解されよう。
【０００７】
態様は、一般に、添付の図面を参照しながら本明細書で十分に説明され、添付の図面によって示される、方法、装置、システム、コンピュータ可読媒体、および処理システムを含む。
【０００８】
いくつかの態様は、UEによるワイヤレス通信のための方法を提供する。方法は、一般に、物理アップリンク制御チャネル(PUCCH)送信においてアップリンク制御情報(UCI)を送信するために利用可能なリソースのサブセットをユーザ機器に示すように構成された1つまたは複数のリソースインジケータ(RI)ビットを含むダウンリンク制御情報(DCI)を受信するステップを含み、DCIは、第1の物理ダウンリンク制御チャネル(PDCCH)送信の1つまたは複数のリソース上で受信される。方法は、PDCCHリソースのPUCCHリソースへの暗黙的マッピング、および第1のPDCCH送信の1つまたは複数のリソースに基づいて、UCIを送信するために、RIビットによって示されるサブセット内のリソースを識別するステップをさらに含む。方法は、識別されたリソースを使用してUCIを送信するステップをさらに含む。
【０００９】
いくつかの態様は、UEによるワイヤレス通信のための方法を提供する。方法は、一般に、1つまたは複数のダウンリンク割当てインデックス(DAI)ビットを含むアップリンク許可を基地局から受信するステップを含む。方法は、DAIビットに基づいて確認応答(ACK)を送信するために使用することになるビット数を決定するステップをさらに含む。方法は、決定されたビット数を使用してACKを基地局に送信するステップをさらに含む。
【００１０】
いくつかの態様は、ネットワークエンティティによるワイヤレス通信のための方法を提供する。方法は、一般に、物理アップリンク制御チャネル(PUCCH)送信においてアップリンク制御情報(UCI)を送信するために利用可能なリソースのサブセットをユーザ機器に示すように構成された1つまたは複数のリソースインジケータ(RI)ビットを含むダウンリンク制御情報(DCI)を送信するステップを含み、DCIは、第1の物理ダウンリンク制御チャネル(PDCCH)送信の1つまたは複数のリソース上で送信される。方法は、PDCCHリソースのPUCCHリソースへの暗黙的マッピング、および第1のPDCCH送信の1つまたは複数のリソースに基づいて、UCIを監視するために、RIビットによって示されるサブセット内のリソースを識別するステップをさらに含む。方法は、UCIに関して、識別されたリソースを監視するステップをさらに含む。
【００１１】
いくつかの態様は、ネットワークエンティティによるワイヤレス通信のための方法を提供する。方法は、一般に、ユーザ機器がダウンリンク割当てインデックス(DAI)ビットに基づいて確認応答(ACK)を送信するために使用することになるビット数を示す1つまたは複数のDAIビットを含むアップリンク許可をユーザ機器に送信するステップを含む。方法は、そのビット数を使用したACKをユーザ機器から受信するステップをさらに含む。
【００１２】
いくつかの態様は、メモリと、メモリに結合されたプロセッサとを備えるユーザ機器を提供する。プロセッサは、物理アップリンク制御チャネル(PUCCH)送信においてアップリンク制御情報(UCI)を送信するために利用可能なリソースのサブセットをユーザ機器に示すように構成された1つまたは複数のリソースインジケータ(RI)ビットを含むダウンリンク制御情報(DCI)を受信するように構成され、DCIは、第1の物理ダウンリンク制御チャネル(PDCCH)送信の1つまたは複数のリソース上で受信される。プロセッサは、PDCCHリソースのPUCCHリソースへの暗黙的マッピング、および第1のPDCCH送信の1つまたは複数のリソースに基づいて、UCIを送信するために、RIビットによって示されるサブセット内のリソースを識別するようにさらに構成される。プロセッサは、識別されたリソースを使用してUCIを送信するようにさらに構成される。
【００１３】
いくつかの態様は、メモリと、メモリに結合されたプロセッサとを備えるユーザ機器を提供する。プロセッサは、1つまたは複数のダウンリンク割当てインデックス(DAI)ビットを含むアップリンク許可を基地局から受信するように構成される。プロセッサは、DAIビットに基づいて確認応答(ACK)を送信するために使用することになるビット数を決定するようにさらに構成される。
【００１４】
いくつかの態様は、メモリと、メモリに結合されたプロセッサとを備えるネットワークエンティティを提供する。プロセッサは、物理アップリンク制御チャネル(PUCCH)送信においてアップリンク制御情報(UCI)を送信するために利用可能なリソースのサブセットをユーザ機器に示すように構成された1つまたは複数のリソースインジケータ(RI)ビットを含むダウンリンク制御情報(DCI)を送信するようにさらに構成され、DCIは、第1の物理ダウンリンク制御チャネル(PDCCH)送信の1つまたは複数のリソース上で送信される。プロセッサは、PDCCHリソースのPUCCHリソースへの暗黙的マッピング、および第1のPDCCH送信の1つまたは複数のリソースに基づいて、UCIを監視するために、RIビットによって示されるサブセット内のリソースを識別するようにさらに構成される。プロセッサは、UCIに関して、識別されたリソースを監視するようにさらに構成される。
【００１５】
いくつかの態様は、メモリと、メモリに結合されたプロセッサとを備えるネットワークエンティティを提供する。プロセッサは、ユーザ機器がダウンリンク割当てインデックス(DAI)ビットに基づいて確認応答(ACK)を送信するために使用することになるビット数を示す1つまたは複数のDAIビットを含むアップリンク許可をユーザ機器に送信するように構成される。プロセッサは、そのビット数を使用したACKをユーザ機器から受信するようにさらに構成される。
【００１６】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載する。しかしながら、これらの特徴は、様々な態様の原理が利用され得る様々な方法のほんのいくつかを示すものであり、この説明は、すべてのそのような態様およびそれらの均等物を含むものである。
【００１７】
本開示の上記の特徴が詳細に理解され得るように、上記で簡単に要約したより具体的な説明が、態様を参照することによって行われることがあり、態様のうちのいくつかは添付の図面に示される。しかしながら、本説明は他の等しく効果的な態様に通じ得るので、添付の図面が、本開示のいくつかの典型的な態様のみを示し、したがって、本開示の範囲を限定するものと見なされるべきではないことに留意されたい。
【図面の簡単な説明】
【００１８】
【図１】本開示のいくつかの態様による、例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的なBSおよびユーザ機器(UE)の設計を概念的に示すブロック図である。
【図５】本開示のいくつかの態様による、通信プロトコルスタックを実装するための例を示す図である。
【図６】本開示のいくつかの態様による、DL中心のサブフレームの一例を示す図である。
【図７】本開示のいくつかの態様による、UL中心のサブフレームの一例を示す図である。
【図８ａ】本開示のいくつかの態様による、例示的なアップリンク構造を示す図である。
【図８ｂ】本開示のいくつかの態様による、例示的なダウンリンク構造を示す図である。
【図９】本開示のいくつかの態様による、ネットワークエンティティによるワイヤレス通信のための例示的な動作を示す図である。
【図１０】本開示のいくつかの態様による、ユーザ機器によるワイヤレス通信のための例示的な動作を示す図である。
【図１１】本開示のいくつかの態様による、物理アップリンク制御チャネル(PUCCH)送信に対するリソース割振りの一例を示す図である。
【図１２】本開示の態様による、本明細書で開示する技法に対する動作を実行するように構成された様々な構成要素を含み得る通信デバイスを示す図である。
【発明を実施するための形態】
【００１９】
理解を容易にするために、可能な場合、図に共通する同一の要素を示すために、同一の参照番号が使用されている。特定の具陳なしに、一態様において開示する要素が他の態様において有利に利用され得ることが企図される。
【００２０】
本開示の態様は、物理アップリンク制御チャネル(PUCCH)内でアップリンク制御情報を送信するために割り振られたリソースを決定するための方法および装置に関する。
【００２１】
NRは、拡張モバイルブロードバンド(eMBB:Enhanced mobile broadband)ターゲットの広い帯域幅(たとえば、80MHzを越える)、ミリ波(mmW:millimeter wave)ターゲットの高いキャリア周波数(たとえば、60GHz)、マッシブMTC(mMTC:massive MTC)ターゲットの後方互換性のないMTC技法、および/またはミッションクリティカルターゲットの超高信頼低レイテンシ通信(URLLC:ultra reliable low latency communication)などの、様々なワイヤレス通信サービスをサポートし得る。これらのサービスは、レイテンシ要件および信頼性要件を含み得る。これらのサービスはまた、それぞれのサービス品質(QoS)要件を満たすための異なる送信時間間隔(TTI)を有し得る。加えて、これらのサービスは、同じサブフレームにおいて共存し得る。
【００２２】
以下の説明は例を提供するものであり、特許請求の範囲に記載される範囲、適用可能性、または例を限定するものではない。本開示の範囲から逸脱することなく、説明する要素の機能および構成に変更が加えられてよい。様々な例は、様々な手順または構成要素を適宜に省略してよく、置換してよく、または追加してよい。たとえば、説明する方法は、説明する順序とは異なる順序で実行されてよく、様々なステップが追加されてよく、省略されてよく、または組み合わせられてよい。また、いくつかの例に関して説明する特徴が、いくつかの他の例では組み合わせられてよい。たとえば、本明細書に記載される任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示する本開示のいずれの態様も、請求項の1つまたは複数の要素によって具現化され得ることを理解されたい。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。
【００２３】
本明細書で説明する技法は、LTE、CDMA、TDMA、FDMA、OFDMA、SC-FDMA、および他のネットワークなどの、様々なワイヤレス通信ネットワークに使用され得る。「ネットワーク」および「システム」という用語は、しばしば、互換的に使用される。CDMAネットワークは、ユニバーサル地上無線アクセス(UTRA)、cdma2000などの無線技術を実装し得る。UTRAは、広帯域CDMA(WCDMA(登録商標))、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装し得る。OFDMAネットワークは、NR(たとえば、5G RA)、発展型UTRA(E-UTRA)、ウルトラモバイルブロードバンド(UMB)、IEEE 802.11(Wi-Fi)、IEEE 802.16(WiMAX)、IEEE 802.20、Flash-OFDMAなどの無線技術を実装し得る。UTRAおよびE-UTRAは、ユニバーサルモバイルテレコミュニケーションシステム(UMTS)の一部である。NRは、5G技術フォーラム(5GTF)とともに開発中の新しく出現したワイヤレス通信技術である。3GPPロングタームエボリューション(LTE)およびLTEアドバンスト(LTE-A)は、E-UTRAを使用するUMTSのリリースである。UTRA、E-UTRA、UMTS、LTE、LTE-AおよびGSM(登録商標)は、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。本明細書で説明する技法は、上述のワイヤレスネットワークおよび無線技術、ならびに他のワイヤレスネットワークおよび無線技術に使用され得る。明確にするために、本明細書では一般に3Gおよび/または4Gワイヤレス技術に関連する用語を使用して態様が説明されることがあるが、本開示の態様は、NR技術を含めて、5G以降のものなどの他の世代ベースの通信システムにおいて適用され得る。
【００２４】
例示的なワイヤレス通信システム
図1は、本開示の態様が実行され得る、ニューラジオ(NR)または5Gネットワークなどの、例示的なワイヤレスネットワーク100を示す。
【００２５】
図1に示すように、ワイヤレスネットワーク100は、いくつかのBS110と他のネットワークエンティティとを含み得る。BSは、UEと通信する局であり得る。各BS110は、特定の地理的エリアに通信カバレージを提供し得る。3GPPでは、「セル」という用語は、この用語が使用される状況に応じて、このカバレージエリアにサービスしているノードBおよび/またはノードBサブシステムのカバレージエリアを指すことがある。NRシステムでは、「セル」およびeNB、ノードB、5G NB、AP、NR BS、またはTRPなどの用語は交換可能であり得る。いくつかの例では、セルは、必ずしも静止しているとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通じて、ワイヤレスネットワーク100内で互いに、および/または1つもしくは複数の他の基地局もしくはネットワークノード(図示せず)に相互接続され得る。
【００２６】
一般に、任意の数のワイヤレスネットワークが、所与の地理的エリアにおいて展開されてよい。各ワイヤレスネットワークは、特定の無線アクセス技術(RAT)をサポートしてよく、1つまたは複数の周波数で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてよい。場合によっては、NR RATネットワークまたは5G RATネットワークが展開されてよい。
【００２７】
BSは、マクロセル、ピコセル、フェムトセル、および/または他のタイプのセルのための通信カバレージを提供し得る。マクロセルは、比較的大きい地理的エリア(たとえば、半径数キロメートル)をカバーすることができ、サービスに加入しているUEによる無制限アクセスを可能にしてよい。ピコセルは、比較的小さい地理的エリアをカバーすることができ、サービスに加入しているUEによる無制限アクセスを可能にしてよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれ、マクロセル102a、102bおよび102cのためのマクロBSであり得る。BS110xは、ピコセル102xのためのピコBSであり得る。BS110yおよび110zは、それぞれ、フェムトセル102yおよび102zのためのフェムトBSであり得る。BSは1つまたは複数(たとえば、3つ)のセルをサポートしてよい。
【００２８】
ワイヤレスネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送信する局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００２９】
ワイヤレスネットワーク100は、異なるタイプのBS、たとえば、マクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００３０】
ワイヤレスネットワーク100は、同期動作または非同期動作をサポートしてよい。同期動作の場合、BSは、同様のフレームタイミングを有することができ、異なるBSからの送信は、時間的にほぼ整合し得る。非同期動作の場合、BSは、異なるフレームタイミングを有する場合があり、異なるBSからの送信は、時間的に整合していない場合がある。本明細書で説明する技法は、同期動作と非同期動作の両方に使用されてよい。
【００３１】
ネットワークコントローラ130は、BSのセットに結合され、これらのBSのための調整および制御を行い得る。ネットワークコントローラ130は、バックホールを介してBS110と通信し得る。BS110はまた、たとえば、直接、または間接的にワイヤレスバックホールもしくは有線バックホールを介して、互いに通信し得る。
【００３２】
UE120(たとえば、120x、120yなど)は、ワイヤレスネットワーク100の全体にわたって分散されてよく、各UEは静止であってよく、またはモバイルであってよい。UEは、移動局、端末、アクセス端末、加入者ユニット、局、顧客構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、スマートウォッチ、スマート衣料、スマートグラス、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサー、スマートメータ/センサー、工業生産機器、全地球測位システムデバイス、またはワイヤレス媒体もしくはワイヤード媒体を介して通信するように構成された任意の他の適切なデバイスと呼ばれる場合もある。いくつかのUEは、発展型もしくはマシンタイプ通信(MTC)デバイス、または発展型MTC(eMTC)デバイスと見なされる場合がある。MTC UEおよびeMTC UEは、BS、別のデバイス(たとえば、リモートデバイス)、または何らかの他のエンティティと通信することができる、たとえば、ロボット、ドローン、リモートデバイス、センサー、メータ、モニタ、ロケーションタグなどを含む。ワイヤレスノードは、たとえば、ワイヤード通信リンクまたはワイヤレス通信リンクを介して、ネットワーク(たとえば、インターネットもしくはセルラーネットワークなどのワイドエリアネットワーク)のための、またはネットワークへの接続性を提供し得る。いくつかのUEは、モノのインターネット(IoT)デバイスと見なされてよい。図1において、両矢印を有する実線は、UEとサービングBSとの間の所望の送信を示し、サービングBSは、ダウンリンクおよび/またはアップリンク上でUEにサービスするように指定されたBSである。両矢印を有する破線は、UEとBSとの間の干渉する送信を示す。
【００３３】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅を、一般に、トーン、ビンなどとも呼ばれる、複数の(K個の)直交サブキャリアに区分する。各サブキャリアは、データで変調され得る。一般に、変調シンボルは、OFDMでは周波数領域において送信され、SC-FDMでは時間領域において送信される。隣接するサブキャリア間の間隔は固定される場合があり、サブキャリアの総数(K)は、システム帯域幅に依存する場合がある。たとえば、サブキャリアの間隔は15kHzであってよく、最小のリソース割振り(「リソースブロック」と呼ばれる)は12個のサブキャリア(または180kHz)であってよい。その結果、公称FFTサイズは、1.25、2.5、5、10または20メガヘルツ(MHz)のシステム帯域幅に対して、それぞれ、128、256、512、1024または2048に等しくなり得る。システム帯域幅はまた、サブバンドに区分され得る。たとえば、サブバンドは、1.08MHz(すなわち、6個のリソースブロック)をカバーすることができ、1.25、2.5、5、10または20MHzのシステム帯域幅に対して、それぞれ、1、2、4、8または16個のサブバンドが存在し得る。
【００３４】
本明細書で説明する例の態様はLTE技術に関連付けられ得るが、本開示の態様は、NRなど、他のワイヤレス通信システムに適用可能であり得る。NRは、アップリンクおよびダウンリンク上でCPを用いてOFDMを利用し、時分割複信(TDD)を使用する半二重動作に対するサポートを含み得る。100MHzの単一のコンポーネントキャリア帯域幅がサポートされ得る。NRリソースブロックは、0.1msの持続時間にわたって、サブキャリア帯域幅が75kHzの12個のサブキャリアにまたがり得る。各無線フレームは、10msの長さを有する50個のサブフレームで構成され得る。結果として、各サブフレームは0.2msの長さを有することができる。各サブフレームは、データ送信用のリンク方向(すなわち、DLまたはUL)を示してよく、サブフレームごとのリンク方向は、動的に切り替えられてよい。各サブフレームは、DL/ULデータならびにDL/UL制御データを含み得る。NRに関するULサブフレームおよびDLサブフレームは、図6および図7に関して以下でより詳細に説明されるようなものであり得る。ビームフォーミングがサポートされ得、ビーム方向が動的に構成され得る。プリコーディングを用いたMIMO送信もサポートされ得る。DLにおけるMIMO構成は、最大で8個のストリームおよびUEごとに最大で2個のストリームを用いたマルチレイヤDL送信で最大で8個の送信アンテナをサポートし得る。UEごとに最大で2個のストリームを用いたマルチレイヤ送信がサポートされ得る。最大で8個のサービングセルを用いて複数のセルのアグリゲーションがサポートされ得る。代替として、NRは、OFDMベース以外の異なるエアインターフェースをサポートし得る。NRネットワークは、CUおよび/またはDUなどのエンティティを含み得る。
【００３５】
いくつかの例では、エアインターフェースへのアクセスがスケジュールされてよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当し得る。すなわち、スケジュールされた通信に対して、従属エンティティは、スケジューリングエンティティによって割り振られたリソースを利用する。基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能し得る。メッシュネットワーク例では、UEは、スケジューリングエンティティと通信することに加えて、場合によっては互いに直接通信し得る。
【００３６】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００３７】
上述のように、RANは、CUおよびDUを含み得る。NR BS(たとえば、eNB、5GノードB、ノードB、送信受信ポイント(TRP)、アクセスポイント(AP))が、1つまたは複数のBSに対応し得る。NRセルは、アクセスセル(ACell)またはデータオンリーセル(DCell)として構成され得る。たとえば、RAN(たとえば、集約ユニットまたは分散ユニット)は、セルを構成することができる。DCellは、キャリアアグリゲーションまたは二重接続性に使用されるが、初期アクセス、セル選択/再選択、またはハンドオーバに使用されないセルであり得る。場合によっては、DCellは同期信号を送信しないことがあり、場合によっては、DCellはSSを送信することがある。NR BSは、セルタイプを示すダウンリンク信号をUEに送信し得る。セルタイプ指示に基づいて、UEはNR BSと通信し得る。たとえば、UEは、示されたセルタイプに基づいて、セル選択用、アクセス用、ハンドオーバ用、および/または測定用と見なすべきNR BSを決定し得る。
【００３８】
図2は、図1に示したワイヤレス通信システム内で実装され得る分散型無線アクセスネットワーク(RAN)200の例示的な論理アーキテクチャを示す。5Gアクセスノード206は、アクセスノードコントローラ(ANC)202を含み得る。ANCは、分散型RAN200の集約ユニット(CU)であってよい。次世代コアネットワーク(NG-CN:next generation core network)204へのバックホールインターフェースは、ANCにおいて終端し得る。近隣次世代アクセスノード(NG-AN)へのバックホールインターフェースは、ANCにおいて終端し得る。ANCは、1つまたは複数のTRP208(BS、NR BS、ノードB、5G NB、AP、または何らかの他の用語で呼ばれることもある)を含み得る。上記で説明したように、TRPは「セル」と交換可能に使用され得る。
【００３９】
TRP208は、DUであってよい。TRPは、1つのANC(ANC202)に接続されてよく、または2つ以上のANC(図示せず)に接続されてよい。たとえば、RAN共有、サービスとしての無線(RaaS:radio as a service)、およびサービス固有ANC配置に対して、TRPは2つ以上のANCに接続され得る。TRPは、1つまたは複数のアンテナポートを含み得る。TRPは、UEへのトラフィックを個別に(たとえば、動的選択)または一緒に(たとえば、共同送信)サービスするように構成され得る。
【００４０】
ローカルアーキテクチャ200は、フロントホール定義を示すために使用され得る。異なる展開タイプにわたるフロントホール(fronthauling)解決策をサポートするアーキテクチャが定義され得る。たとえば、アーキテクチャは、送信ネットワーク能力(たとえば、帯域幅、レイテンシ、および/またはジッタ)に基づき得る。
【００４１】
アーキテクチャは、特徴および/または構成要素をLTEと共有し得る。態様によれば、次世代AN(NG-AN)210は、NRとの二重接続性をサポートし得る。NG-ANは、LTEおよびNRに対して共通フロントホールを共有し得る。
【００４２】
アーキテクチャは、TRP208間の協働を可能にし得る。たとえば、協働は、TRP内にプリセットされてよく、かつ/またはANC202を経由してTRPにわたってプリセットされてよい。態様によれば、TRP間インターフェースが必要とされない/存在しない場合がある。
【００４３】
態様によれば、アーキテクチャ200内に、分割された論理機能の動的構成が存在する場合がある。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置され得る。いくつかの態様によれば、BSは、集約ユニット(CU)(たとえば、ANC202)および/または1つもしくは複数の分散ユニット(たとえば、1つもしくは複数のTRP208)を含んでよい。
【００４４】
図3は、本開示のいくつかの態様による、分散型RAN300の例示的な物理アーキテクチャを示す。集中型コアネットワークユニット(C-CU)302が、コアネットワーク機能をホストし得る。C-CUは、中央に配置されてよい。C-CU機能は、ピーク容量に対処しようとして、(たとえば、アドバンストワイヤレスサービス(AWS)に)オフロードされ得る。
【００４５】
集中型RANユニット(C-RU)304が、1つまたは複数のANC機能をホストし得る。場合によっては、C-RUは、コアネットワーク機能を局所的にホストし得る。C-RUは分散配置を有してよい。C-RUは、ネットワークエッジのより近くにあってよい。
【００４６】
DU306が、1つまたは複数のTRP(エッジノード(EN)、エッジユニット(EU)、無線ヘッド(RH)、スマート無線ヘッド(SRH)など)をホストし得る。DUは、無線周波数(RF)機能を備えたネットワークのエッジに位置し得る。
【００４７】
図4は、本開示の態様を実施するために使用され得る、図1に示すBS110およびUE120の例示的な構成要素を示す。上記で説明したように、BSはTRPを含み得る。BS110およびUE120の1つまたは複数の構成要素は、本開示の態様を実践するために使用され得る。たとえば、UE120のアンテナ452、プロセッサ466、458、464、および/もしくはコントローラ/プロセッサ480、ならびに/またはBS110のアンテナ434、プロセッサ430、420、438、および/もしくはコントローラ/プロセッサ440は、本明細書で説明する動作を実行するために使用され得る。
【００４８】
図4は、図1におけるBSのうちの1つおよびUEのうちの1つであってよい、BS110およびUE120の設計のブロック図を示す。制限された接続シナリオの場合、基地局110は図1のマクロBS110cであってよく、UE120はUE120yであってよい。基地局110はまた、何らかの他のタイプの基地局であり得る。基地局110は、アンテナ434a〜434tを備えることができ、UE120は、アンテナ452a〜452rを備えることができる。
【００４９】
基地局110において、送信プロセッサ420は、データソース412からデータを受信し、コントローラ/プロセッサ440から制御情報を受信し得る。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってよい。データは、物理ダウンリンク共有チャネル(PDSCH)などに関するものであってよい。プロセッサ420は、データおよび制御情報を処理(たとえば、符号化およびシンボルマッピング)して、それぞれデータシンボルおよび制御シンボルを取得することができる。プロセッサ420はまた、たとえば、PSS、SSS、およびセル固有基準信号に関する基準シンボルを生成することもできる。送信(TX)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。たとえば、TX MIMOプロセッサ430は、RS多重化のために本明細書で説明するいくつかの態様を実行し得る。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号を、それぞれアンテナ434a〜434tを介して送信してよい。
【００５０】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。たとえば、MIMO検出器456は、本明細書で説明する技法を使用して送信された検出済みRSを提供し得る。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。1つまたは複数の事例によれば、CoMP態様は、アンテナならびにいくつかのTx/Rx機能を、CoMP態様が分散されたユニット内に存在するように提供することを含むことができる。たとえば、いくつかのTx/Rx処理は中央ユニット内で行われ得る一方で、他の処理は分散されたユニットにおいて行われ得る。たとえば、図に示す1つまたは複数の態様によれば、BS変調器/復調器432は、分散されたユニット内にあってもよい。
【００５１】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してよい。送信プロセッサ464はまた、基準信号のための基準シンボルを生成し得る。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送信された復号データおよび制御情報を取得し得る。受信プロセッサ438は、データシンク439に復号されたデータを提供し、コントローラ/プロセッサ440に復号された制御情報を提供してよい。
【００５２】
コントローラ/プロセッサ440および480は、それぞれ基地局110およびUE120における動作を指示し得る。基地局110におけるプロセッサ440および/または他のプロセッサとモジュールとは、たとえば、図9に示す機能ブロックおよび/または本明細書で説明する技法のための他のプロセスを実行、またはその実行を指示し得る。UE120におけるプロセッサ480および/または他のプロセッサとモジュールとはまた、たとえば、図10に示す機能ブロックおよび/または本明細書で説明する技法のための他のプロセスを実行、またはその実行を指示し得る。メモリ442および482は、それぞれBS110およびUE120のためのデータおよびプログラムコードを記憶し得る。スケジューラ444は、ダウンリンクおよび/またはアップリンク上でのデータ送信のためにUEをスケジューリングし得る。
【００５３】
図5は、本開示の態様による、通信プロトコルスタックを実装するための例を示す図500を示す。示された通信プロトコルスタックは、5Gシステム(たとえば、アップリンクベースのモビリティをサポートするシステム)内で動作するデバイスによって実装され得る。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス(たとえば、AN、CU、および/もしくはDU)またはUEのためのプロトコルスタックの中で使用されてよい。
【００５４】
第1のオプション505-aは、プロトコルスタックの実装が集中ネットワークアクセスデバイス(たとえば、図2のANC202)と分散ネットワークアクセスデバイス(たとえば、図2のDU208)との間で分割される、プロトコルスタックの分割実装形態を示す。第1のオプション505-aでは、RRCレイヤ510およびPDCPレイヤ515は、集約ユニットによって実装されてよく、RLCレイヤ520、MACレイヤ525、およびPHYレイヤ530は、DUによって実装されてよい。様々な例では、CUおよびDUは、コロケートされてよく、またはコロケートされなくてもよい。第1のオプション505-aは、マクロセル配置、マイクロセル配置、またはピコセル配置において有用であり得る。
【００５５】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装され得る。第2のオプション505-bは、フェムトセル配置において有用であり得る。
【００５６】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してよい。
【００５７】
図6は、DL中心のサブフレームの一例を示す図600である。DL中心のサブフレームは、制御部分602を含み得る。制御部分602は、DL中心のサブフレームの最初の部分または開始部分に存在し得る。制御部分602は、DL中心のサブフレームの様々な部分に対応する様々なスケジューリング情報および/または制御情報を含み得る。いくつかの構成では、制御部分602は、図6に示すように、物理DL制御チャネル(PDCCH)であってよい。DL中心のサブフレームは、DLデータ部分604も含み得る。DLデータ部分604は時々、DL中心のサブフレームのペイロードと呼ばれ得る。DLデータ部分604は、スケジューリングエンティティ(たとえば、UEまたはBS)から従属エンティティ(たとえば、UE)にDLデータを通信するために利用される通信リソースを含み得る。いくつかの構成では、DLデータ部分604は、物理DL共有チャネル(PDSCH)であってよい。
【００５８】
DL中心のサブフレームは、共通UL部分606も含み得る。共通UL部分606は時々、ULバースト、共通ULバースト、および/または様々な他の適切な用語で呼ばれ得る。共通UL部分606は、DL中心のサブフレームの様々な他の部分に対応するフィードバック情報を含み得る。たとえば、共通UL部分606は、制御部分602に対応するフィードバック情報を含み得る。フィードバック情報の非限定的な例は、ACK信号、NACK信号、HARQインジケータ、および/または様々な他の適切なタイプの情報を含み得る。共通UL部分606は、ランダムアクセスチャネル(RACH)手順、スケジューリング要求(SR)に関する情報、および様々な他の適切なタイプの情報などの、追加のまたは代替の情報を含み得る。図6に示すように、DLデータ部分604の終わりは、共通UL部分606の始まりから時間的に分離され得る。この時間の分離は時々、ギャップ、ガード期間、ガードインターバル、および/または様々な他の適切な用語で呼ばれ得る。この分離は、DL通信(たとえば、従属エンティティ(たとえば、UE)による受信動作)からUL通信(たとえば、従属エンティティ(たとえば、UE)による送信)への切替えのための時間を与える。上記はDL中心のサブフレームの一例にすぎず、同様の特徴を有する代替構造が、必ずしも本明細書で説明する態様から逸脱することなく存在し得ることを、当業者は理解されよう。
【００５９】
図7は、UL中心のサブフレームの一例を示す図700である。UL中心のサブフレームは、制御部分702を含み得る。制御部分702は、UL中心のサブフレームの最初の部分または開始部分に存在し得る。図7における制御部分702は、図6を参照しながら上記で説明した制御部分と同様であってよい。UL中心のサブフレームは、ULデータ部分704も含み得る。ULデータ部分704は時々、UL中心のサブフレームのペイロードと呼ばれ得る。ULデータ部分は、従属エンティティ(たとえば、UE)からスケジューリングエンティティ(たとえば、UEまたはBS)にULデータを通信するために利用される通信リソースを指すことがある。いくつかの構成では、制御部分702は、物理DL制御チャネル(PDCCH)であってよい。
【００６０】
図7に示すように、制御部分702の終わりは、ULデータ部分704の始まりから時間的に分離され得る。この時間の分離は時々、ギャップ、ガード期間、ガードインターバル、および/または様々な他の適切な用語で呼ばれ得る。この分離は、DL通信(たとえば、スケジューリングエンティティによる受信動作)からUL通信(たとえば、スケジューリングエンティティによる送信)への切替えのための時間を与える。UL中心のサブフレームは、共通UL部分706も含み得る。図7における共通UL部分706は、図6を参照しながら上記で説明した共通UL部分606と同様であってよい。共通UL部分706は、追加または代替として、チャネル品質インジケータ(CQI)、サウンディング基準信号(SRS)に関する情報、および様々な他の適切なタイプの情報を含み得る。上記はUL中心のサブフレームの一例にすぎず、同様の特徴を有する代替構造が、必ずしも本明細書で説明する態様から逸脱することなく存在し得ることを、当業者は理解されよう。
【００６１】
いくつかの状況では、2つ以上の従属エンティティ(たとえば、UE)はサイドリンク信号を使用して互いに通信することができる。そのようなサイドリンク通信の現実世界の適用例は、公共安全、近接サービス、UEからネットワークへの中継、車両間(V2V)通信、インターネットオブエブリシング(IoE:Internet of Everything)通信、IoT通信、ミッションクリティカルメッシュ、および/または様々な他の適切な適用例を含み得る。一般に、サイドリンク信号は、スケジューリングおよび/または制御のためにスケジューリングエンティティが利用され得るにもかかわらず、スケジューリングエンティティ(たとえば、UEまたはBS)を通じてその通信を中継せずに、ある従属エンティティ(たとえば、UE1)から別の従属エンティティ(たとえば、UE2)に通信される信号を指す場合がある。いくつかの例では、サイドリンク信号は、(通常は免許不要スペクトルを使用するワイヤレスローカルエリアネットワークとは異なり)免許必要スペクトルを使用して通信されてよい。
【００６２】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作し得る。RRC専用状態において動作するとき、UEは、パイロット信号をネットワークに送信するために、リソースの専用セットを選択し得る。RRC共通状態において動作するとき、UEは、パイロット信号をネットワークに送信するために、リソースの共通セットを選択し得る。いずれの場合も、UEによって送信されるパイロット信号は、ANもしくはDU、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成され得る。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用し得る。
【００６３】
例示的なスロット設計
ロングタームエボリューション(LTE)規格など、いくつかのワイヤレス通信規格に準拠するモバイル通信システムでは、いくつかの技法が、データ送信の信頼性を高めるために使用され得る。たとえば、基地局が特定のデータチャネルに対する初期送信動作を実行した後、送信を受信する受信機は、データチャネルの間に受信機がデータチャネルに対する巡回冗長検査(CRC)を実行する、そのデータチャネルを復調することを試みる。その検査の結果として、初期送信が正常に復調される場合、受信機は、正常な復調に肯定応答するために肯定応答(ACK)を基地局に送り得る。しかしながら、初期送信が正常に復調されない場合、受信機は、否定応答(NACK)を基地局に送り得る。ACK/NACKを送信するチャネルは、応答チャネルまたはACKチャネルと呼ばれる。
【００６４】
場合によっては、LTE規格の下で、ACKチャネルは、2つのスロット(すなわち、1つのサブフレーム)または14個のシンボルを含んでもよく、それらは1ビットまたは2ビットの情報を含み得るACKを送信するために使用され得る。場合によっては、ACKチャネル情報を送信するとき、ワイヤレスデバイスは、周波数ホッピングを実行し得る。周波数ホッピングは、干渉を低減して遮断を回避するために、周波数帯域内で繰り返し周波数を切り替える行為を指す。
【００６５】
NRなど、他のワイヤレス通信規格の下で、ACKチャネル情報ならびに他の情報は、図8aに示すアップリンク構造を介して送信され得る。図8aは、ロングアップリンクバースト送信に対する領域を含む送信時間間隔(TTI)を有する例示的なアップリンク構造を示す。ロングアップリンクバーストは、確認応答(ACK)、チャネル品質インジケータ(CQI)またはスケジューリング要求(SR)情報などの情報を送信し得る。
【００６６】
図8において「ULロングバースト」と呼ばれるロングアップリンクバースト送信に対する領域の持続時間は、図8に示すように、物理ダウンリンク制御チャネル(PDCCH)、ギャップ、およびショートアップリンクバースト(ULショートバーストとして示す)に対して、いくつのシンボルが使用されるかに応じて変化する場合がある。たとえば、ULロングバーストは、いくつかのスロット(たとえば、4つ)を含む場合があり、各スロットの持続時間は4〜14個のシンボルの間で変化する場合がある。図8bはまた、PDCCH、ダウンリンク物理ダウンリンク共有チャネル(PDSCH)、ギャップ、およびアップリンクショートバーストを含むTTIを有するダウンリンク構造を示す。ULロングバーストと同様に、DL PDSCHの持続時間もまた、PDCCH、ギャップ、およびアップリンクショートバーストによって使用されるシンボルの数にも依存し得る。
【００６７】
上述のように、ULショートバーストは1つまたは2つのシンボルであり得、異なる手法が、この持続時間内にUCIを送信するために使用され得る。たとえば、「1シンボル」UCI設計によれば、3ビット以上のUCIが、周波数分割多重化(FDM)を使用して送信され得る。1ビットもしくは2ビットの確認応答(ACK)または1ビットのスケジューリング要求(SR)に対して、シーケンスベースの設計が使用され得る。たとえば、SRは、1つのシーケンス、オンオフキーイングを用いて送信されてもよく、RB当たり最大12ユーザまでを多重化し得る。1ビットACKに対して、2つのシーケンスが使用されてもよく、RB当たり最大6ユーザまでが多重化され得る。2ビットACKに対して、4つのシーケンスが使用されてもよく、RB当たり最大3ユーザまでが多重化され得る。
【００６８】
PUSCH上のUCIピギーバックに対する例示的なREマッピングルール
提供され得る同じUEからのPUCCHおよびPUSCHを同時に多重化するために、いくつかの手法がある。たとえば、第1の手法は、FDM、PUCCHおよびPUSCHなど、異なるRB上のPUCCHおよびPUSCHを送信することを含み得る。第2の手法は、割り当てられたPUSCH RB上にPUCCHをピギーバックすることを含み得る。両手法は、NRにおいてサポートされ得る。
【００６９】
PUSCH上のUCIピギーバッキングは、周波数第1のマッピングに対して、DFT-s-OFDM波形およびCP-OFDM波形を有するPUSCHに対して共通であり得る、(たとえば、RSの近辺の)UCIリソースマッピング原理を含み得る。PUSCH上のUCIピギーバッキングは、少なくとも、RRCによって構成される周期的CSI報告および/またはUL許可によってトリガされる非周期的CSI報告に対してUCIの近辺でレートマッチングされ得る(rate-matched around)ULデータも含み得る。
【００７０】
1つまたは複数の場合、3ビット以上を有するHARQ-ACKに対するスロットベースのスケジューリングは、レートマッチングされるPUSCHを含み得る。場合によっては、PUSCHは、最大で2ビットを有するHARQ-ACKに対するスロットベースのスケジューリングに対してパンクチャリングされ得る。1つまたは複数の場合、NRは、gNBとUEとの間のHARQ-ACKビットについて十分に信頼できる共通の理解を提供し得る。場合によっては、PUCCHおよびPUSCHのチャネル多重化に関して、追加の検討事項が考慮に入れられる場合がある。
【００７１】
PUSCH上のUCIピギーバッキングに関連する検討事項は、HARQ-ACKピギーバックルールをどのように決定すべきかを含み得る。たとえば、PUSCHがACKによってパンクチャリングされるならば、大きいACKペイロードサイズの場合、PUSCH復号性能に対する影響を無視できない場合がある。PUSCHがACKの近辺でレートマッチングされるならば、UEがDCIを誤検出する場合に、eNBおよびUEは、PUSCH上にピギーバックされたACKビットの数について異なる仮定を有する場合があり、そのことで、そのようなあいまいさを解決するために、eNBがブラインド検出を実行することが必要となる場合がある。さらに、ACKペイロードサイズが増加するにつれて、eNBが実行する必要があり得るブラインド検出の数も増加する場合がある。
【００７２】
NRに対する例示的なPUCCHリソース割振り
本開示の態様は、物理アップリンク制御チャネル(PUCCH)内でアップリンク制御情報を送信するために割り振られたリソースを決定するための方法および装置に関する。
【００７３】
場合によっては、ACK/NACKまたはSRなどのアップリンク制御情報(UCI)を送信するために利用可能なリソースをシグナリングするために、eNBは、割振りリソースインジケータ(ARI)ビットを使用し得る。ARIビットは、UCIを送信するために利用可能なPUCCHリソースを明示的に示し得る。たとえば、2ビットARIは、UCIを送信するために利用可能な4つのリソースのうちの1つを示し得る。
【００７４】
場合によっては、明示的にシグナリングされ得るよりも多い、利用可能なリソースのセットが存在する場合がある。たとえば、4つより多いリソースのセットが存在する場合、2ビットARIは不十分であり、PUCCHリソース割振りのための暗黙的マッピングが使用され得る。リソースセット内のPUCCHリソースの数が、構成される。
【００７５】
本明細書で説明するように、本開示の態様は、リソースセット内のサブセットを暗黙的にシグナリングするための技法を提供し、そこにおいて、追加のRRCの影響は不要である。たとえば、追加のRRCシグナリングは、暗黙的シグナリングに対して不要であり、それによって、UCIを送信するために利用可能なリソースを示すためのネットワーク帯域幅が低減される。
【００７６】
図9は、本開示の態様による、PUCCHリソースを割り振るために、eNBなどのネットワークエンティティによって実行され得る例示的な動作900を示す。
【００７７】
動作900は、902において、ユーザ機器(UE)が物理アップリンク制御チャネル(PUCCH)送信においてアップリンク制御情報(UCI)を送信するために使用するのに利用可能なリソースのサブセットを複数のサブセットから示すように構成された1つまたは複数のリソースインジケータ(RI)ビットを含むダウンリンク制御情報(DCI)を送信することで開始する。904において、ネットワークエンティティは、暗黙的マッピングに基づいてPUCCH送信を監視するために、RIビットによって示されるサブセット内のリソースを識別する。906において、ネットワークエンティティは、PUCCH送信に対して識別されたリソースを監視する。
【００７８】
図10は、本開示の態様による、ユーザ機器(UE)によって実行され得る例示的な動作1000を示す。たとえば、動作1000は、動作900を実行するeNBに送信するためのリソースを決定するために、UEによって実行され得る。
【００７９】
動作1000は、1002において、物理アップリンク制御チャネル(PUCCH)送信においてアップリンク制御情報(UCI)を送信するために利用可能なリソースのサブセットを示すように構成された1つまたは複数のリソースインジケータ(RI)ビットを含むダウンリンク制御情報(DCI)を受信することで開始する。1004において、UEは、暗黙的マッピングに基づいてUCIを送信するために、RIビットによって示されるサブセット内のリソースを識別する。1006において、UEは、識別されたリソースを使用してUCIを送信する。
【００８０】
図11は、本開示のいくつかの態様による、物理アップリンク制御チャネル(PUCCH)送信に対するリソース割振りの一例を示す。たとえば、図11は、異なるリソース(たとえば、時間リソース、周波数リソースなど)のセットが、どのようにしてPUCCH送信に対して利用可能であり得るかを示す。異なるUEは、RRCシグナリングを介して異なるセットで構成され得る。場合によっては、明示的シグナリング(たとえば、ARIビット)が、リソースのセットのうちの1つをシグナリングするために使用され得る一方で、暗黙的マッピングが、セット内のリソースを識別するために使用され得る。
【００８１】
たとえば、図11は、第1のUE120aに対して構成されたPUCCHリソースのセット1102および第2のUE120bに対して構成されたPUCCHリソースのセット1104を示す。示すように、PUCCHリソースのセット1102は、リソースのサブセット1112に分割される。特に、図示のいくつかの態様では、PUCCHリソースのセット1102は、8つのリソースのサブセット1112に分割される。リソースのサブセット1112は、PUCCHリソース1122にさらに分割される。同様に、PUCCHリソースのセット1104は、リソースのサブセット1114に分割される。特に、図示のいくつかの態様では、PUCCHリソースのセット1104は、8つのリソースのサブセット1114に分割される。リソースのサブセット1114は、PUCCHリソース1124にさらに分割される。いくつかの態様では、PUCCHリソースのセット1102および1104は、異なる数のリソースのサブセット1112および1114に分割され得る。
【００８２】
図11に示すように、各リソースのサブセット1112は、サブセット当たり4つのリソースを含む一方で、各リソースのサブセット1114は、サブセット当たり2つのリソースを含む。いくつかの態様では、リソースのサブセット1112およびリソースのサブセット1114は、図示とは異なる数のPUCCHリソースを含む。リソースのサブセット1112/1114のサイズは、サブセット内のPUCCHリソースの数に対応し得る。いくつかの態様では、所与のUEに対する各リソースのサブセット(たとえば、サブセット1112またはサブセット1114)は、同じサイズを有する。いくつかの態様では、所与のUEの少なくとも2つの異なるサブセットが、異なるサイズを有する。いくつかの態様では、少なくとも2つの異なるUEが、異なるサイズのサブセットを有する。いくつかの態様では、UEは、同じサイズのサブセットを有する。
【００８３】
図11は、複数のPDCCHリソース1126を含むPDCCHリソースのセット1106をさらに示す。示すように、PDCCHリソース1126は、PUCCHリソース1122/1124にマッピングし得る。特に、いくつかの実施形態では、BS110によってUE120にDL上で送信するために使用されるPDCCHリソース1126は、UE120によってBS110にUL上で送信するために使用されるPUCCHリソースにマッピングされる。いくつかの態様では、BS110は、どのPUCCHリソースを使用してPDCCHリソース1126内のそのような情報を送信するかに関する情報をUE120に示すために、PDCCHリソース1126に何を含めるかを決定し得る。さらに、いくつかの態様では、所与のUE120は、どのPDCCHリソース1126をUE120が送信のために受信するか、およびその送信内の情報に基づいて、どのPUCCHリソースを送信のために使用するかを決定し得る。
【００８４】
いくつかの態様では、UCIを送信する(たとえば、トランスポートブロック(TB)などの送信)ために正確にPUCCHのどのリソース(たとえば、時間リソース、周波数リソースなど)を使用するかを、BS110がUE120にPDCCH内で明示的にシグナリングすることは、多数のビットを必要とする場合があり、そのことは、非効率的であり得る。たとえば、PUCCHリソースのセット1102は、32個のPUCCHリソース1122を含んでよく、シグナリングするために5ビットを必要とする。したがって、UCIを送信するために使用することになるPUCCH上のリソースをPDCCH内で明示的にシグナリングすることは、シグナリングのためにネットワーク帯域幅を利用し、それゆえ、ネットワーク内のネットワークオーバーヘッドを増加させ、それによって、総合的データスループットを低減させる場合がある。したがって、本明細書のいくつかの態様は、PUCCH上でUCIを通信するために利用するために、PDCCH内のリソースをPUCCH上のULリソースに、少なくとも部分的に暗黙的にマッピングすることに関する。UEとBSの両方が暗黙的マッピングを実行してもよく、UEは、UCIを送信するためにどのPUCCHリソースを使用するかを決定してUCIを実際に送信し、BSは、UCIを受信し、UCIがその上で受信されたPUCCHリソースに基づいて、UCIがどのデータ送信に対するものであるかを決定する。
【００８５】
いくつかの態様では、BS110は、PUCCH送信においてUCIを送信するために利用可能なリソースのサブセットを示すために、1つまたは複数のRIビットを有するDCIを送信し得る。したがって、RIビットは、DCIが送信される(すなわち、対象とする)UE120と関連付けられたPUCCHリソースのセット1102/1104の特定のリソースのサブセット1112/1114に明示的にマッピングするために使用され得る。
【００８６】
PDCCHは、周波数領域内のいくつかのサブキャリアおよび時間領域内のいくつかのOFDMシンボルに及ぶ場合がある。PDCCHの最小のリソース要素は、リソース要素(RE)と呼ばれることがあり、1つのOFDMシンボルおよび1つのサブキャリアに対応する。REは、リソース要素グループ(REG)にグループ化され得る。各REGは、同じOFDMシンボルおよび同じリソースブロック(RB)内にいくつかの(たとえば、4つの連続した)REを含み得る。REGは、制御チャネル要素(CCE)にグループ化され得る。各CCEは、いくつかの(たとえば、9つの連続した)REGを含み得る。PDCCH内のCCEはインデックス付けされ得、各CCEは、PDCCH内のCCEの位置に対応するインデックス番号によって参照され得る。したがって、BS110によるDCI送信は、PDCCHの特定のCCE内で搬送され得、CCEは、特定のインデックスを有する。
【００８７】
いくつかの態様では、DCIを搬送するCCEのCCEインデックスは、DCIによって示されるリソースのサブセット1112/1114内の特定のPUCCHリソース1122/1124に暗黙的にマッピングするために使用され得る。
【００８８】
いくつかの態様では、BS110によってUE120にシグナリングされるX個の数のRIビットが(たとえば、PDCCHのDCI内に)あり、UE120がPUCCHリソースの1つのセット(たとえば、1102または1104)のために使用するように(たとえば、RRCを使用して)構成されたY個の数のPUCCHリソース(たとえば、1122または1124)がある場合、RIビットによって示される2^X個のリソースのサブセット(たとえば、1112または1114)があり得る。Y/(2^X)が整数でないならば、異なるサブセットが、異なるサイズ有する場合がある。
【００８９】
いくつかの態様では、Z=Y%2^XおよびM=floor(Y/2^X)であるならば、M個のPUCCHリソースを有する2^X-Z個のサブセット、およびM+1個のPUCCHリソースを有するZ個のサブセットがあり得る。
【００９０】
いくつかの態様では、Y個のリソースが、次のように、2^X個のリソースのサブセットに分割され得る。1)第1のZ個のサブセットは、それぞれM+1個のリソースを有し、2)残りのサブセットは、それぞれM個のリソースを有する。いくつかの他の態様では、Y個のリソースが、次のように、2^X個のリソースのサブセットに分割され得る。1)第1の2^X-Z個のサブセットはそれぞれM個のPUCCHリソースを有し、2)残りのサブセットはそれぞれM+1個のPUCCHリソースを有する。
【００９１】
いくつかの態様では、基地局(たとえば、BS110)およびUE120は、キャリアアグリゲーション(CA)をサポートし得、BS110およびUE120は、キャリアまたはコンポーネントキャリア(CC)と呼ばれる複数の周波数(たとえば、1つまたは複数の帯域幅の複数の周波数範囲)にわたって通信することができることを意味する。これらのキャリアは、周波数において隣接してもしなくてもよい。CAがBS110によって使用されるとき、BS110は、各キャリアごとに1つ、複数のサービングセルをサポートし得る。各サービングセルのカバレージエリアは、異なる場合がある。いくつかの態様では、BS110に接続しているUE120に対する無線リソース制御(RRC)接続手順(たとえば、ハンドオーバの間、無線リンク障害(RLF)の後、初期接続の間など)は、1次セル(PCell)と呼ばれるセルのうちの1つをサービスする、(1次キャリアと呼ばれる)キャリアのうちの1つのみを使用してBS110によって対処される。残りのセルは、2次セル(SCell)と呼ばれることがあり、残りのキャリア(2次キャリアと呼ばれる)によってサービスされる。
【００９２】
いくつかの態様では、PDCCHは、複数のCC(たとえば、各CC)上で搬送される。したがって、BS110とUE120との間の通信のために使用される複数のCCがある場合、BS110からUE120に複数のCC上で送信される複数のPDCCH(たとえば、各CC上のPDCCH)が存在し得る。いくつかの態様では、複数のPDCCHのうちの1つだけが、PUCCHリソースにマッピングするために使用され得る。いくつかの態様では、他のPDCCHは無視される(たとえば、他方のPDCCH内の任意のRIビットおよびRIビットを搬送するCCEのCCEインデックスは無視され、PUCCHリソースにマッピングするためには使用されない)。いくつかの態様では、最小/最低のインデックスを有するCC上で搬送されるPDCCHが、本明細書で説明する技法を使用してPUCCHリソースにマッピングするために使用される。いくつかの態様では、最大/最高のインデックスを有するCC上で搬送されるPDCCHが、本明細書で説明する技法を使用してPUCCHリソースにマッピングするために使用される。いくつかの態様では、複数のPDCCHに対するUCIが、同じULスロット内で送信される。
【００９３】
複数のPDCCHが複数のCCを使用してBS110からUE120に送信され得るのと同様に、複数のPDCCHが複数のスロット(たとえば、クロススロットスケジューリングを使用するときは時間スロット)上でBS110からUE120に送信され得る。したがって、同じULスロット上で送信される複数のACKビットがあり得る。いくつかの態様では、複数のPDCCHのうちの1つだけが、PUCCHリソースにマッピングするために使用され得る。いくつかの態様では、他のPDCCHは無視される(たとえば、他方のPDCCH内の任意のRIビットおよびRIビットを搬送するCCEのCCEインデックスは無視され、PUCCHリソースにマッピングするためには使用されない)。いくつかの態様では、時間的に最近/最後のスロット内で(たとえば、BS110によって送信され)UE120において受信されたPDCCHが、本明細書で説明する技法を使用してPUCCHリソースにマッピングするために使用される。いくつかの態様では、複数のPDCCHに対するUCIが、同じULスロット内で送信される。
【００９４】
いくつかの態様では、UE120は、UE120が(たとえば、PUSCH上で)送信するために、UL許可をUE120に送信するためにスケジューリング要求(SR)をBS110に送信するように構成され得る。いくつかの態様では、SRは、小さい(たとえば、1、2または3シンボルなど、スロット持続時間より小さい)周期性を有する場合がある。したがって、正のSRが、UE120からのロングPUCCHまたはPUSCH送信の中ほどで、またはその間に現れる(たとえば、UE120によって送信されることを必要とする)場合がある。いくつかのそのような態様では、そのようなSRは、超高信頼低レイテンシ通信(URLLC)UE120に対するものである。いくつかのそのような態様では、そのようなSRは、拡張モバイルブロードバンド(eMBB)UE120に対するものである。いくつかのそのような態様では、そのようなSRは、eMBBおよびURLLCをサポートするUEに対するものである。
【００９５】
いくつかの態様では、UE120によって送信されたロングPUCCH(たとえば、URLLCまたはeMBBに対する)/PUSCHがあり、SRが現れる場合、UE120は、そのSRシンボルからロングPUCCH/PUSCHをなくしてもよい。たとえば、UE120は、SRシンボルまでシンボル内のPUCCH/PUSCHを送信してもよく、その場合、残りのシンボル上のPUCCH/PUSCHを送信しなくてよい。
【００９６】
いくつかの態様では、SRシンボル(たとえば、URLLCに対する)が所与のUE120において(たとえば、eMBBに対する)PUSCHまたはPUCCH送信の間に現れる場合、UE120は、URLLCに譲るために、そのSRシンボルからロングPUCCH/PUSCHをなくしてもよい。
【００９７】
いくつかの態様では、UE120がPUSCH上でACK(たとえば、またはUCI)を送信するとき、1または2ビットのACKに対して、ACKビットが、PUSCHをパンクチャリングする。ACK>2ビットに対して、ACKビットは、PUSCHの近辺でレートマッチングされる。
【００９８】
UE120とBS110との間でACKビットの数についての混乱を回避するため、たとえばACKビットおよびPUSCH上のデータを正常に復号するために、BS110は、UE120がPUSCH上で送信するべきACKビットの数を示すために、ダウンリンク割当てインデックス(DAI)ビット(たとえば、2または3)をUE120へのUL許可の中に含めてもよい。
【００９９】
いくつかの態様では、UE120およびBS110は、半静的HARQ-ACKコードブックサイズを用いて構成される(たとえばACKを送信するとき常にX個(たとえば、4個)のビット数を送信する)。たとえば、HARQ-ACKペイロードサイズは、BS110からUE120へのRRCシグナリングの中で与えられる。それゆえ、唯一の不確実性は、ACKビットが本当に存在するかどうかである。たとえば、UE120は、PDCCH/PDSCHを正常に受信せず、したがって、UE120は、UE120がACKビットを送信する必要があることがわからない。したがって、いくつかの態様では、半静的HARQ-ACKコードブックサイズを使用するとき、ACKビットが予期されているか否かを示すために、1個のDAIビットが、UL許可に追加され得る。
【０１００】
いくつかの態様では、DAIビットがUL許可に追加されず、したがって、BS110は、2つの仮説(PUSCHのみ(0、1、2個のACKビット)またはX個のACKビットの近辺でレートマッチングされたPUSCHのいずれか)に対してブラインド検出を行う必要がある場合がある。次いで、正しい仮説が、データおよびACKビット(存在する場合)を得るためにBS110によって使用される。
【０１０１】
図12は、図9または図10に示す動作など、本明細書で開示する技法に対する動作を実行するように構成された(たとえば、ミーンズプラスファンクション構成要素に対応する)様々な構成要素を含み得る通信デバイス1200を示す。通信デバイス1200は、トランシーバ1208に結合された処理システム1202を含む。トランシーバ1208は、本明細書で説明した様々な信号など、通信デバイス1200のための信号を、アンテナ1210を介して送受信するように構成される。処理システム1202は、通信デバイス1200によって受信された信号および/または送信されるべき信号を処理することを含む、通信デバイス1200のための処理機能を実行するように構成され得る。
【０１０２】
処理システム1202は、コンピュータ可読媒体/メモリ1212にバス1206を介して結合されたプロセッサ1204を含む。いくつかの態様では、コンピュータ可読媒体/メモリ1212は、プロセッサ1204によって実行されるときに、図9もしくは図10に示す動作、または本明細書で説明する様々な技法を実行するための他の動作をプロセッサ1204に実行させる命令を記憶するように構成される。
【０１０３】
いくつかの態様では、処理システム1202は、図9の902または図10の1006で示す動作を実行するための送信構成要素1214をさらに含む。加えて、処理システム1202は、図9の904または図10の1004で示す動作を実行するための識別構成要素1216を含む。加えて、処理システム1202は、図9の906で示す動作を実行するための監視構成要素1218を含む。加えて、処理システム1202は、図10の1002で示す動作を実行するための受信構成要素1220を含む。送信構成要素1214、識別構成要素1216、監視構成要素1218、および受信構成要素1220は、バス1206を介してプロセッサ1204に結合され得る。いくつかの態様では、送信構成要素1214、識別構成要素1216、監視構成要素1218、および受信構成要素1220は、ハードウェア回路であり得る。いくつかの態様では、送信構成要素1214、識別構成要素1216、監視構成要素1218、および受信構成要素1220は、プロセッサ1204上で実行され動作されるソフトウェア構成要素であり得る。
【０１０４】
本明細書で開示する方法は、説明した方法を実現するための1つまたは複数のステップまたはアクションを含む。方法ステップおよび/またはアクションは、特許請求の範囲の範囲から逸脱することなく互いに入れ替えられ得る。言い換えれば、ステップまたはアクションの特定の順序が指定されない限り、特定のステップおよび/またはアクションの順序および/または使用は、特許請求の範囲の範囲から逸脱することなく修正され得る。
【０１０５】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【０１０６】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでよい。また、「決定すること」は、受信すること(たとえば、情報を受信すること)、アクセスすること(たとえば、メモリ内のデータにアクセスすること)などを含み得る。また、「決定すること」は、解決すること、選択すること、選出すること、確立することなどを含み得る。
【０１０７】
前述の説明は、いかなる当業者も、本明細書で説明した様々な態様を実践することが可能になるように提供される。これらの態様の様々な変更が、当業者には容易に明らかになり、本明細書において規定される一般原理は、他の態様に適用される場合がある。したがって、特許請求の範囲は、本明細書に示した態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。別段に明記されていない限り、「いくつか」という用語は、1つまたは複数を指す。当業者に知られているか、または後で知られることになる、本開示全体にわたって説明した様々な態様の要素に対するすべての構造的および機能的均等物は、参照により本明細書に明確に組み込まれ、特許請求の範囲によって包含されることが意図される。その上、本明細書で開示したものは、そのような開示が特許請求の範囲に明示的に記載されているかどうかにかかわらず、公に供されるものではない。請求項の要素は、要素が「のための手段」という句を使用して明確に列挙されていない限り、または方法クレームの場合、要素が「のためのステップ」という句を使用して列挙されていない限り、米国特許法112条第6段落の規定に基づいて解釈されるべきではない。
【０１０８】
上記で説明した方法の様々な動作は、対応する機能を実行することが可能な任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。一般に、図に示す動作が存在する場合、それらの動作は、同様の番号を付された対応する相当物であるミーンズプラスファンクション構成要素を有し得る。
【０１０９】
たとえば、送信するための手段および/または受信するための手段は、基地局110の送信プロセッサ420、TX MIMOプロセッサ430、受信プロセッサ438、もしくはアンテナ434、および/またはユーザ機器120の送信プロセッサ464、TX MIMOプロセッサ466、受信プロセッサ458、もしくはアンテナ452のうちの1つまたは複数を含み得る。加えて、生成するための手段、多重化するための手段、および/または適用するための手段は、基地局110のコントローラ/プロセッサ440および/またはユーザ機器120のコントローラ/プロセッサ480などの1つまたは複数のプロセッサを含み得る。
【０１１０】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行され得る。汎用プロセッサは、マイクロプロセッサであってよいが、代替として、プロセッサは、任意の市販のプロセッサ、コントローラ、マイクロコントローラ、または状態機械であってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装されてもよい。
【０１１１】
ハードウェアにおいて実装される場合、例示的なハードウェア構成は、ワイヤレスノード内の処理システムを含み得る。処理システムは、バスアーキテクチャを用いて実装され得る。バスは、処理システムの特定の適用例および全体的な設計制約に応じて、任意の数の相互接続バスおよびブリッジを含んでよい。バスは、プロセッサ、機械可読媒体、およびバスインターフェースを含む様々な回路を互いにリンクさせ得る。バスインターフェースは、バスを介して、とりわけ、処理システムにネットワークアダプタを接続するために使用され得る。ネットワークアダプタは、PHYレイヤの信号処理機能を実装するために使用され得る。ユーザ端末120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でよく知られており、したがって、これ以上は説明しない。プロセッサは、1つまたは複数の汎用プロセッサおよび/または専用プロセッサを用いて実装されてよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【０１１２】
ソフトウェアにおいて実装される場合、機能は、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合されてよい。代替として、記憶媒体は、プロセッサと一体であってよい。例として、機械可読媒体は、送信線路、データによって変調された搬送波、および/またはワイヤレスノードとは別個の命令が記憶されたコンピュータ可読記憶媒体を含んでよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてよい。機械可読記憶媒体の例は、例として挙げると、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあり得る。機械可読媒体はコンピュータプログラム製品内で具現化されてよい。
【０１１３】
ソフトウェアモジュールは、単一の命令または多くの命令を含み得、いくつかの異なるコードセグメントにわたって、異なるプログラム間で、また複数の記憶媒体にわたって、分散され得る。コンピュータ可読媒体は、いくつかのソフトウェアモジュールを含んでよい。ソフトウェアモジュールは、プロセッサなどの装置によって実行されると、処理システムに様々な機能を実行させる命令を含む。ソフトウェアモジュールは、送信モジュールと受信モジュールとを含んでよい。各ソフトウェアモジュールは、単一の記憶デバイス内に存在しても、または複数の記憶デバイスにわたって分散されてよい。例として、トリガイベントが発生したときに、ソフトウェアモジュールは、ハードドライブからRAMにロードされてよい。ソフトウェアモジュールの実行中、プロセッサは、アクセス速度を高めるために、命令のうちのいくつかをキャッシュにロードしてよい。1つまたは複数のキャッシュラインが、次いで、プロセッサによって実行されるように汎用レジスタファイルにロードされてよい。以下でソフトウェアモジュールの機能に言及する場合、そのような機能は、そのソフトウェアモジュールからの命令を実行するときにプロセッサによって実装されることが理解されよう。
【０１１４】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでよい。さらに、他の態様では、コンピュータ可読媒体は、一時的コンピュータ可読媒体(たとえば、信号)を備えることができる。上記の組合せもコンピュータ可読媒体の範囲に含まれるべきである。
【０１１５】
したがって、いくつかの態様は、本明細書で提示した動作を実行するためのコンピュータプログラム製品を含んでよい。たとえば、そのようなコンピュータプログラム製品は、本明細書で説明した動作を実行するように1つまたは複数のプロセッサによって実行可能である命令が記憶された(および/または符号化された)コンピュータ可読媒体を含んでよい。
【０１１６】
さらに、本明細書で説明する方法および技法を実行するためのモジュールおよび/または他の適切な手段は、適用可能な場合、ユーザ端末および/または基地局によってダウンロードおよび/または別の方法で取得されてよいことを理解されたい。たとえば、そのようなデバイスは、本明細書で説明する方法を実行するための手段の転送を容易にするためにサーバに結合されてよい。代替的に、本明細書で説明する様々な方法は、ユーザ端末および/または基地局が記憶手段(たとえば、RAM、ROM、コンパクトディスク(CD)またはフロッピーディスクなどの物理的記憶媒体など)をデバイスに結合または提供すると様々な方法を取得することができるように、記憶手段を介して提供されてよい。さらに、本明細書で説明する方法および技法をデバイスに提供するための任意の他の適切な技法が利用されてよい。
【０１１７】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてよい。
【符号の説明】
【０１１８】
100  ワイヤレスネットワーク
102a  マクロセル
102b  マクロセル
102c  マクロセル
102x  ピコセル
102y  フェムトセル
102z  フェムトセル
110  基地局(BS)
110a  BS
110b  BS
110c  BS、マクロBS
110r  中継局
110x  BS
110y  BS
110z  BS
120  UE、ユーザ機器、ユーザ端末
120a  第1のUE
120b  第2のUE
120r  UE
120x  UE
120y  UE
130  ネットワークコントローラ
200  分散型無線アクセスネットワーク(RAN)、ローカルアーキテクチャ、アーキテクチャ
202  アクセスノードコントローラ(ANC)
204  次世代コアネットワーク(NG-CN)
206  5Gアクセスノード
208  TRP、DU
210  次世代AN(NG-AN)
300  分散型RAN
302  集中型コアネットワークユニット(C-CU)
304  集中型RANユニット(C-RU)
306  DU
412  データソース
420  プロセッサ、送信プロセッサ
430  TX MIMOプロセッサ
432  変調器、BS変調器/復調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  復調器
454a〜454r  復調器(DEMOD)
456  MIMO検出器
458  プロセッサ、受信プロセッサ
462  データソース
464  プロセッサ、送信プロセッサ
466  プロセッサ、TX MIMOプロセッサ
480  コントローラ/プロセッサ、プロセッサ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
600  図
604  DLデータ部分
606  共通UL部分
700  図
702  制御部分
704  ULデータ部分
706  共通UL部分
900  動作
1000  動作
1102  PUCCHリソースのセット
1104  PUCCHリソースのセット
1106  PDCCHリソースのセット
1112  リソースのサブセット
1114  リソースのサブセット
1122  PUCCHリソース
1124  PUCCHリソース
1126  PDCCHリソース
1200  通信デバイス
1202  処理システム
1204  プロセッサ
1206  バス
1208  トランシーバ
1210  アンテナ
1212  コンピュータ可読媒体/メモリ
1214  送信構成要素
1216  識別構成要素
1218  監視構成要素
1220  受信構成要素
【図１】
2021505059.tif 000003
【図２】
2021505059.tif 000004
【図３】
2021505059.tif 000005
【図４】
2021505059.tif 000006
【図５】
2021505059.tif 000007
【図６】
2021505059.tif 000008
【図７】
2021505059.tif 000009
【図８ａ】
2021505059.tif 000010
【図８ｂ】
2021505059.tif 000011
【図９】
2021505059.tif 000012
【図１０】
2021505059.tif 000013
【図１１】
2021505059.tif 000014
【図１２】
2021505059.tif 000015
【国際調査報告】
2021505059.tif 000016
2021505059.tif 000017
2021505059.tif 000018